(57)【要約】【課題】扉体により前面開口が比較的長時間開放された場合でも、かかる開放による不具合の発生を防止すること。【解決手段】前面開口１０ａが前面扉２０により開閉されるケース本体１０と、ケース本体１０の収納室３０に上下方向に沿って複数段設けられた商品陳列棚３１と、収納室３０と吸込口３５及び吹出口３６を通じて連通する態様で設けられた空気通路４０と、吸込口３５を通じて収納室３０の空気を空気通路４０に吸い込み、空気通路４０を通過した空気を収納室３０に吹出口３６を通じて吹き出す態様で空気を循環させる循環ファン４４と、循環ファン４４により循環させられる空気を冷却する蒸発器４５とを備え、前面扉２０により前面開口１０ａが開放されたことを検出する扉体検出手段と、扉体検出手段により検出された前面開口１０ａの開放が予め設定された設定時間以上経過した場合に、循環ファン４４を駆動停止にさせる制御部５０とを備えている。【選択図】図３
2018079068.tif 000002
【特許請求の範囲】
【請求項１】
前面に形成された開口が扉体により開閉されるケース本体と、
前記ケース本体の内部の収納室に上下方向に沿って複数段設けられた商品陳列棚と、
前記収納室と吸込口及び吹出口を通じて連通する態様で前記ケース本体の内部に設けられた空気通路と、
前記吸込口を通じて前記収納室の内部の空気を前記空気通路に吸い込み、かつ前記空気通路を通過した空気を前記収納室に前記吹出口を通じて吹き出す態様で前記空気を循環させる循環ファンと、
前記循環ファンにより循環させられる空気の温度を調整する温度調整手段と
を備え、前記商品陳列棚に陳列された商品を所望の温度に調整して保持するショーケースであって、
前記扉体により前記開口が開放されたことを検出する扉体検出手段と、
前記扉体検出手段により検出された前記開口の開放が予め設定された設定時間以上経過した場合に、前記循環ファンを駆動停止にさせる制御手段と
を備えたことを特徴とするショーケース。
【請求項２】
前記制御手段は、前記扉体検出手段により前記開口の開放が検出された場合に、前記設定時間が経過するまで前記循環ファンの回転数を低減させることを特徴とする請求項１に記載のショーケース。
【請求項３】
前記扉体検出手段は、前記吸込口より前記空気通路を通過する空気の温度を検知することにより、前記開口の開放を検出することを特徴とする請求項１又は請求項２に記載のショーケース。
【請求項４】
前記商品陳列棚は、前記扉体により開放された前記開口を通じて前後方向に沿ってスライド可能な棚板を備えたことを特徴とする請求項１〜３のいずれか１つに記載のショーケース。
【請求項５】
前記収納室の背面を構成する背面パネル及び前記収納室の側面を構成する側面パネルの少なくとも一方に上下方向に沿って延在する態様で設けられ、かつ前記吹出口より吹き出された空気の一部を案内するガイド溝部を備えたことを特徴とする請求項１〜４のいずれか１つに記載のショーケース。
【請求項６】
前面に形成された開口が扉体により開閉されるケース本体と、
前記ケース本体の内部の収納室に上下方向に沿って複数段設けられた商品陳列棚と、
前記収納室と吸込口及び吹出口を通じて連通する態様で前記ケース本体の内部に設けられた空気通路と、
前記吸込口を通じて前記収納室の内部の空気を前記空気通路に吸い込み、かつ前記空気通路を通過した空気を前記収納室に前記吹出口を通じて吹き出す態様で前記空気を循環させる循環ファンと、
前記循環ファンにより循環させられる空気の温度を調整する温度調整手段と
を備え、前記商品陳列棚に陳列された商品を所望の温度に調整して保持するショーケースであって、
前記収納室の背面を構成する背面パネル及び前記収納室の側面を構成する側面パネルの少なくとも一方に上下方向に沿って延在する態様で設けられ、かつ前記吹出口より吹き出された空気の一部を案内するガイド溝部を備えたことを特徴とするショーケース。
【請求項７】
前記背面パネルに設けられ、かつ前記収納室の空気を前記空気通路に案内する案内口を備えたことを特徴とする請求項５又は請求項６に記載のショーケース。
【請求項８】
前面に形成された開口が扉体により開閉されるケース本体と、
前記ケース本体の内部の収納室に上下方向に沿って複数段設けられた商品陳列棚と、
前記収納室と吸込口及び吹出口を通じて連通する態様で前記ケース本体の内部に設けられた空気通路と、
前記空気通路における前記吹出口近傍に設けられ、前記吸込口を通じて前記収納室の内部の空気を前記空気通路に吸い込み、かつ前記空気通路を通過した空気を前記収納室に前記吹出口を通じて吹き出す態様で前記空気を循環させる循環ファンと、
前記空気通路において前記循環ファンよりも前記吹出口に近接する個所に設置され、かつ前記循環ファンにより循環させられる空気の温度を調整する温度調整手段と
を備え、前記商品陳列棚に陳列された商品を所望の温度に調整して保持するショーケースであって、
前記商品陳列棚は、前記収納室の内部に配置される収納位置と、前記扉体により開放された前記開口より前記収納室の外部に配置される引出位置との間で前後方向に沿ってスライド可能な棚板を備え、
前記棚板が前記収納位置に配置される場合には該棚板により閉成されるとともに、該棚板が前記引出位置に配置される場合には開成される態様で前記収納室の背面を構成する背面パネルに形成され、かつ開成されるときには前記収納室の空気を前記空気通路における前記循環ファンの上流側に導入する導入口を備えたことを特徴とするショーケース。
【発明の詳細な説明】
【技術分野】
【０００１】
本発明は、ショーケースに関し、より詳細には、収納対象となる商品を所望の温度状態に保持するショーケースに関するものである。
【背景技術】
【０００２】
従来、収納対象となる商品を所望の温度状態に保持するショーケースとして、次のようなものが知られている。前面に前面扉により開閉される前面開口が形成されたケース本体の収納室に、商品陳列棚が上下方向に沿って複数段設けられており、それぞれの商品陳列棚に商品が載置されて陳列されている。またケース本体の内部には、吸込口及び吹出口を通じて収納室に連通する空気通路が形成されており、この空気通路には循環ファン及び蒸発器が設けられている。
【０００３】
このようなショーケースにおいては、循環ファンが駆動することにより、収納室の内部の空気が次のように循環する。収納室の内部の空気が吸込口を通じて空気通路に吸い込まれ、この空気通路を通過中に蒸発器により冷却される。冷却された空気は、吹出口を通じて収納室に吹き出され、吸込口に吸い込まれて循環する。
【０００４】
そして、吹出口から吹き出された空気が吸込口に吸い込まれることにより、収納室の前面、すなわち前面扉により閉塞された前面開口近傍に冷気のエアカーテンが形成され、商品陳列棚に陳列された商品が所望の温度に調整されている。
【０００５】
ところで、上記ショーケースにおいては、商品陳列棚に陳列された商品が取り出されるために、前面扉が揺動して前面開口が例えば１０秒間程度の短時間開放された場合には、エアカーテンが該前面開口からの外気の侵入を抑制できるよう吹出口からの空気の吹出量等が調整されている。
【０００６】
しかしながら、商品陳列棚に対して商品を補充するために、前面扉が揺動して前面開口が例えば１０分間程度の長時間開放された場合には、吹出口より吹き出される空気の風速により収納室の空気（冷気）が前面開口を通じて流出してしまうとともに、吸込口を通じて外気を多量に吸い込んでしまうことがあり、これにより、外気が高温多湿空気であると、商品の冷却効率の低下、商品への着霜、結露、商品温度上昇等の不具合が生ずることがあった。
【０００７】
そこで、かかる不具合の発生を抑制するべく、循環ファンによる空気の風量を前面扉の開閉に応じて増減させるようにしたショーケースが提案されている（例えば、特許文献１参照）。
【先行技術文献】
【特許文献】
【０００８】
【特許文献１】特開平７−２４８１７３号公報
【発明の概要】
【発明が解決しようとする課題】
【０００９】
ところが、上述した特許文献１に提案されているショーケースにおいても、循環ファンによる空気の風量を前面扉の開閉に応じて増減させているだけなので、商品陳列棚に対して商品を補充するために前面開口が例えば１０分間程度の長時間開放された場合には、吸込口を通じて外気を多量に吸い込んでしまうことがあり、これにより、冷却効率の低下等の不具合が依然として発生する虞れがあった。
【００１０】
本発明は、上記実情に鑑みて、扉体により前面開口が比較的長時間開放された場合でも、かかる開放による不具合の発生を防止することができるショーケースを提供することを目的とする。
【課題を解決するための手段】
【００１１】
上記目的を達成するために、本発明に係るショーケースは、前面に形成された開口が扉体により開閉されるケース本体と、前記ケース本体の内部の収納室に上下方向に沿って複数段設けられた商品陳列棚と、前記収納室と吸込口及び吹出口を通じて連通する態様で前記ケース本体の内部に設けられた空気通路と、前記吸込口を通じて前記収納室の内部の空気を前記空気通路に吸い込み、かつ前記空気通路を通過した空気を前記収納室に前記吹出口を通じて吹き出す態様で前記空気を循環させる循環ファンと、前記循環ファンにより循環させられる空気の温度を調整する温度調整手段とを備え、前記商品陳列棚に陳列された商品を所望の温度に調整して保持するショーケースであって、前記扉体により前記開口が開放されたことを検出する扉体検出手段と、前記扉体検出手段により検出された前記開口の開放が予め設定された設定時間以上経過した場合に、前記循環ファンを駆動停止にさせる制御手段とを備えたことを特徴とする。
【００１２】
また本発明は、上記ショーケースにおいて、前記制御手段は、前記扉体検出手段により前記開口の開放が検出された場合に、前記設定時間が経過するまで前記循環ファンの回転数を低減させることを特徴とする。
【００１３】
また本発明は、上記ショーケースにおいて、前記扉体検出手段は、前記吸込口より前記空気通路を通過する空気の温度を検知することにより、前記開口の開放を検出することを特徴とする。
【００１４】
また本発明は、上記ショーケースにおいて、前記商品陳列棚は、前記扉体により開放された前記開口を通じて前後方向に沿ってスライド可能な棚板を備えたことを特徴とする。
【００１５】
また本発明は、上記ショーケースにおいて、前記収納室の背面を構成する背面パネル及び前記収納室の側面を構成する側面パネルの少なくとも一方に上下方向に沿って延在する態様で設けられ、かつ前記吹出口より吹き出された空気の一部を案内するガイド溝部を備えたことを特徴とする。
【００１６】
また本発明に係るショーケースは、前面に形成された開口が扉体により開閉されるケース本体と、前記ケース本体の内部の収納室に上下方向に沿って複数段設けられた商品陳列棚と、前記収納室と吸込口及び吹出口を通じて連通する態様で前記ケース本体の内部に設けられた空気通路と、前記吸込口を通じて前記収納室の内部の空気を前記空気通路に吸い込み、かつ前記空気通路を通過した空気を前記収納室に前記吹出口を通じて吹き出す態様で前記空気を循環させる循環ファンと、前記循環ファンにより循環させられる空気の温度を調整する温度調整手段とを備え、前記商品陳列棚に陳列された商品を所望の温度に調整して保持するショーケースであって、前記収納室の背面を構成する背面パネル及び前記収納室の側面を構成する側面パネルの少なくとも一方に上下方向に沿って延在する態様で設けられ、かつ前記吹出口より吹き出された空気の一部を案内するガイド溝部を備えたことを特徴とする。
【００１７】
また本発明は、上記ショーケースにおいて、前記背面パネルに設けられ、かつ前記収納室の空気を前記空気通路に案内する案内口を備えたことを特徴とする。
【００１８】
また本発明に係るショーケースは、前面に形成された開口が扉体により開閉されるケース本体と、前記ケース本体の内部の収納室に上下方向に沿って複数段設けられた商品陳列棚と、前記収納室と吸込口及び吹出口を通じて連通する態様で前記ケース本体の内部に設けられた空気通路と、前記空気通路における前記吹出口近傍に設けられ、前記吸込口を通じて前記収納室の内部の空気を前記空気通路に吸い込み、かつ前記空気通路を通過した空気を前記収納室に前記吹出口を通じて吹き出す態様で前記空気を循環させる循環ファンと、前記空気通路において前記循環ファンよりも前記吹出口に近接する個所に設置され、かつ前記循環ファンにより循環させられる空気の温度を調整する温度調整手段とを備え、前記商品陳列棚に陳列された商品を所望の温度に調整して保持するショーケースであって、前記商品陳列棚は、前記収納室の内部に配置される収納位置と、前記扉体により開放された前記開口より前記収納室の外部に配置される引出位置との間で前後方向に沿ってスライド可能な棚板を備え、前記棚板が前記収納位置に配置される場合には該棚板により閉成されるとともに、該棚板が前記引出位置に配置される場合には開成される態様で前記収納室の背面を構成する背面パネルに形成され、かつ開成されるときには前記収納室の空気を前記空気通路における前記循環ファンの上流側に導入する導入口を備えたことを特徴とする。
【発明の効果】
【００１９】
本発明によれば、制御手段が、扉体検出手段により検出されたケース本体の開口の開放が予め設定された設定時間以上経過した場合に、循環ファンを駆動停止にさせるので、収納室と空気通路との間での空気の循環を停止させ、これにより、商品陳列棚に対して商品を補充するために開口が比較的長時間開放された場合には、吸込口を通じて外気を多量に吸い込んでしまうことを抑制する。そのため、商品の冷却効率の低下、商品への着霜、結露、商品温度上昇等の不具合の発生を防止できるという効果を奏する。
【００２０】
また本発明によれば、収納室の背面を構成する背面パネル及び収納室の側面を構成する側面パネルの少なくとも一方に上下方向に沿って延在する態様で設けられたガイド溝部が、吹出口より吹き出された空気の一部を案内するので、ケース本体の開口が比較的長時間開放された場合でも、収納室と空気通路との間で空気を循環させつつ温度調整手段で所望の温度に調整させることができ、これにより、商品の冷却効率の低下、商品への着霜、結露、商品温度上昇等の不具合の発生を防止できるという効果を奏する。
【００２１】
また本発明によれば、導入口が棚板が収納位置に配置される場合には該棚板により閉成されるとともに、該棚板が引出位置に配置される場合には開成される態様で収納室の背面を構成する背面パネルに形成され、かつ開成されるときには収納室の空気を空気通路における循環ファンの上流側に導入するので、ケース本体の開口が比較的長時間開放された場合でも、収納室の一部と空気通路との間で空気を循環させつつ温度調整手段により所望の温度に調整させることができ、これにより、棚板が引出位置に配置される商品陳列棚よりも例えば上方側の商品の冷却効率の低下、該商品への着霜、結露、該商品温度上昇等の不具合の発生を防止できるという効果を奏する。
【図面の簡単な説明】
【００２２】
【図１】図１は、本発明の実施の形態１であるショーケースを模式的に示す断面側面図である。
【図２】図２は、本発明の実施の形態１であるショーケースを模式的に示す断面側面図である。
【図３】図３は、本実施の形態１であるショーケースの特徴的な制御系を模式的に示す模式図である。
【図４】図４は、図３に示した制御部が実施する循環ファン駆動制御の処理内容を示すフローチャートである。
【図５】図５は、本発明の実施の形態２であるショーケースを模式的に示す断面側面図である。
【図６】図６は、図５に示したケース本体の横断面を模式的示す横断面図である。
【図７】図７は、本発明の実施の形態２であるショーケースを模式的に示す断面側面図である。
【図８】図８は、本発明の実施の形態３であるショーケースを模式的に示す断面側面図である。
【図９】図９は、本発明の実施の形態３であるショーケースを模式的に示す断面側面図である。
【発明を実施するための形態】
【００２３】
以下に添付図面を参照して、本発明に係るショーケースの好適な実施の形態について詳細に説明する。
【００２４】
＜実施の形態１＞
図１及び図２は、それぞれ本発明の実施の形態１であるショーケースを模式的に示す断面側面図である。ここで例示するショーケースは、ケース本体１０を備えている。
【００２５】
ケース本体１０は、前面に開口（以下、前面開口ともいう）１０ａが形成された略直方状の断熱筐体である。このケース本体１０には、前面扉（扉体）２０、収納室３０及び空気通路４０が設けられている。
【００２６】
前面扉２０は、ケース本体１０の前面開口１０ａを覆うのに十分な大きさを有した断熱扉であり、ケース本体１０の前方側の一側縁部に、前後方向に揺動可能に設けられている。この前面扉２０は、揺動することにより前面開口１０ａを開閉するものであり、より詳細に説明すると、前方に向けて揺動することにより前面開口１０ａを開放する一方、後方に向けて揺動することにより前面開口１０ａを閉塞するものである。また、前面扉２０には、図には明示しないが、矩形状の開口が形成されるとともに、この矩形状開口を閉塞する態様で断熱性ガラスの板材が嵌め込まれることにより窓部が設けられている。よって、かかる窓部を通じて外部よりケース本体１０の内部が視認可能である。
【００２７】
収納室３０は、上記前面開口１０ａを臨む態様で形成された室である。この収納室３０には、複数（図示の例では４つ）の商品陳列棚３１が上下方向に沿って複数段設けられている。
【００２８】
商品陳列棚３１は、従来公知のものであり、それぞれ棚板３２を備えて構成されている。棚板３２は、略平板状の部材であり、上面が商品を載置する載置面を構成している。この棚板３２は、レール部材３３を介して左右一対のブラケット部材３４に架設されている。
【００２９】
かかる棚板３２は、ブラケット部材３４に対して前後方向に沿ってスライド可能である。つまり、棚板３２は、図１に示したように収納室３０の内部に配置される収納位置と、図２に示すように前面扉２０により開放された前面開口１０ａより収納室３０の外部に配置される引出位置との間で前後方向に沿ってスライド可能である。
【００３０】
空気通路４０は、ケース本体１０の内部であって収納室３０の外部に形成されており、吸込口３５から吹出口３６に至る空気の通路である。
【００３１】
吸込口３５は、収納室３０の内部の空気を吸い込むための開口であり、左右方向に沿って延在するよう設けられた長尺状のものである。この吸込口３５は、収納室３０の下側前方縁部、すなわちケース本体１０の前面開口１０ａ近傍の下部に設けられている。
【００３２】
吹出口３６は、収納室３０の内部に空気を吹き出すための開口である。この吹出口３６は、左右方向に沿って延在するよう設けられており、収納室３０の上側前方縁部、すなわちケース本体１０の前面開口１０ａ近傍の上部に設けられている。
【００３３】
このような空気通路４０は、収納室３０の外部であってその下方にある下部ダクト４１と、収納室３０の外部であってその背面側にある背面ダクト４２と、収納室３０の外部であってその上方にある上部ダクト４３とを備え、これら下部ダクト４１、背面ダクト４２及び上部ダクト４３が互いに連通して構成されている。
【００３４】
かかる空気通路４０には、循環ファン４４及び蒸発器４５が設置されている。循環ファン４４は、背面ダクト４２と上部ダクト４３との連通部分に設置されている。この循環ファン４４は、後述する制御部５０から与えられる指令により駆動するものであり、駆動する場合に、収納室３０の内部の空気を該収納室３０と空気通路４０との間で循環させるものである。尚、本実施の形態１では、循環ファン４４は、背面ダクト４２と上部ダクト４３との連通部分に設置されているが、本発明では、循環ファン４４の設置個所は特に限定されるものではなく、後述するように循環ファン４４の機能を発揮することができればどの個所に設置されてもよい。
【００３５】
蒸発器４５は、上部ダクト４３、すなわち空気通路４０において循環ファン４４よりも吹出口３６に近接する個所に設置されている。この蒸発器４５は、図示せぬ圧縮機、凝縮器及び膨張機構と冷媒管路で接続されて冷媒を循環させる冷凍サイクルを構成している。圧縮機は、冷媒を圧縮するものであり、凝縮器は、圧縮機で圧縮された冷媒を凝縮させて放熱させるものである。膨張機構は、凝縮器で凝縮した冷媒を断熱膨張させて低温低圧の状態にさせるものである。
【００３６】
上記ショーケースにおいては、循環ファン４４が駆動することにより、収納室３０の内部の空気が吸込口３５を通じて空気通路４０に吸い込まれて空気通路４０を通過し、吹出口３６を通じて収納室３０に吹き出される。つまり、循環ファン４４は、吸込口３５を通じて収納室３０の内部の空気を空気通路４０に吸い込み、かつ空気通路４０を通過した空気を収納室３０に吹出口３６を通じて吹き出す態様で空気を循環させるものである。
【００３７】
蒸発器４５は、循環ファン４４が駆動することにより空気通路４０の背面ダクト４２から上部ダクト４３を通過する空気と、膨張機構で低温低圧の状態にされた冷媒とを熱交換させるもの、より詳細には、低温低圧の冷媒を蒸発させることにより背面ダクト４２から上部ダクト４３を通過する空気を冷却するものである。この蒸発器４５で蒸発した冷媒は、圧縮機に吸引されて冷凍サイクルを循環することになる。
【００３８】
図３は、本実施の形態１であるショーケースの特徴的な制御系を模式的に示す模式図である。この図３に示すように、ショーケースは、温度センサＳ及び制御部（制御手段）５０を備えている。
【００３９】
温度センサＳは、空気通路４０を構成する下部ダクト４１に設置されており、より詳細には、下部ダクト４１における吸込口３５近傍に設置されている。この温度センサＳは、吸込口３５より下部ダクト４１に吸い込まれた空気の温度を検知するものであり、その検知結果（検知温度）を温度信号として制御部５０に送出するものである。
【００４０】
制御部５０は、メモリ５５に記憶されたプログラムやデータにしたがって後述する循環ファン駆動制御を統括的に制御する制御手段であり、入力処理部５１、判定処理部５２、時間計測部５３及びファン駆動処理部５４を備えている。
【００４１】
尚、制御部５０は、ショーケースの動作を統括的に制御する本体制御部に組み込まれていてもよいし、該本体制御部から独立して構成されていてもよい。また制御部５０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００４２】
入力処理部５１は、温度センサＳから送出される温度信号を入力するものである。判定処理部５２は、メモリ５５に記憶された判定基準情報を読み出し、入力処理部５１を通じて入力した温度信号に含まれる検知温度が判定基準情報に含まれる基準温度以上であるか否かを判定するものである。ここで、基準温度は、予め設定されたものであり、前面開口１０ａが開放されたか否かの判定を行うための閾値である。
【００４３】
時間計測部５３は、内蔵する時計を通じて時間の計測を行うものである。ファン駆動処理部５４は、循環ファン４４に対して駆動指令及び駆動停止指令を送出することで循環ファン４４の駆動を制御するものである。またファン駆動制御部５０は、循環ファン４４に対して回転数を低減させる旨の指令を送出するものである。
【００４４】
以上のような構成を有する本発明の実施の形態１のショーケースにおいては、圧縮機が駆動するとともに循環ファン４４が駆動することにより、収納室３０の内部の空気が次のように循環する。
【００４５】
吸込口３５を通じて空気通路４０の下部ダクト４１に吸い込まれた収納室３０の内部の空気は、該下部ダクト４１を通過した後に背面ダクト４２を通過する。この背面ダクト４２を通過した空気は、蒸発器４５で冷却される。蒸発器４５で冷却された空気は、上部ダクト４３を通過し、吹出口３６を通じて収納室３０に吹き出される。この吹出口３６より吹き出された空気は、各商品陳列棚３１の前方域を下方に向けて通過し、吸込口３５より空気通路４０に吸い込まれることにより、収納室３０と空気通路４０とを循環する。
【００４６】
これにより、収納室３０の前面開口１０ａ近傍には蒸発器４５で冷却された空気によるエアカーテンが形成される。このようにして形成されたエアカーテンと、前面開口１０ａを閉塞する前面扉２０により、前面開口１０ａを通じての外気の侵入を抑制し、各商品陳列棚３１に陳列された商品が所望の温度に冷却される。
【００４７】
このように圧縮機が駆動するとともに循環ファン４４が駆動する状態において、上記制御部５０は、以下の循環ファン駆動制御を実施する。
【００４８】
図４は、図３に示した制御部５０が実施する循環ファン駆動制御の処理内容を示すフローチャートである。
【００４９】
この循環ファン駆動制御において制御部５０は、温度センサＳからの温度信号の入力待ちとなり（ステップＳ１０１）、入力処理部５１を通じて温度信号を入力した場合（ステップＳ１０１：Ｙｅｓ）、判定処理部５２を通じてメモリ５５より判定基準情報を読み出す（ステップＳ１０２）。
【００５０】
判定基準情報を読み出した制御部５０は、ステップＳ１０１で入力した温度信号に含まれる検知温度が、ステップＳ１０２で読み出した判定基準情報に含まれる基準情報以上であるか否かを判定する（ステップＳ１０３）。
【００５１】
検知温度が基準情報以上でない場合（ステップＳ１０３：Ｎｏ）、制御部５０は、後述する処理を実施することなく今回の循環ファン駆動制御を終了する。
【００５２】
一方、検知温度が基準情報以上である場合（ステップＳ１０３：Ｙｅｓ）、制御部５０は、判定処理部５２を通じてケース本体１０の前面開口１０ａが前面扉２０が揺動することにより開放されたと判定する（ステップＳ１０４）。
【００５３】
このように前面開口１０ａが開放されたと判定した制御部５０は、時間計測部５３を通じて時間の計測を開始するとともに（ステップＳ１０５）、ファン駆動処理部５４を通じて循環ファン４４に対して回転数低減指令を送出する（ステップＳ１０６）。これにより、循環ファン４４の回転数が低減し、収納室３０と空気通路４０との間で循環する空気の風量が低下する。
【００５４】
そして、ステップＳ１０５で時間の計測を開始した制御部５０は、計測時間が予め設定された設定時間（例えば１０秒間程度）の経過待ちとなる（ステップＳ１０７）。計測時間が設定時間を経過した場合（ステップＳ１０７：Ｙｅｓ）、制御部５０は、ファン駆動処理部５４を通じて循環ファン４４に駆動停止指令を送出し（ステップＳ１０８）、かつ時間計測部５３を通じての時間の計測を終了して（ステップＳ１０９）、その後に手順をリターンさせて今回の処理を終了する。これによれば、循環ファン４４が駆動停止して収納室３０と空気通路４０との間での空気の循環が停止する。
【００５５】
このように本実施の形態１であるショーケースにおいては、温度センサＳ及び制御部５０の判定処理部５２が、前面扉（扉体）２０により前面開口１０ａが開放されたことを検出する扉体検出手段を構成している。
【００５６】
そして、上記ショーケースによれば、制御部５０がケース本体１０の前面開口１０ａの開放が予め設定された設定時間以上経過した場合に、循環ファン４４を駆動停止にさせるので、収納室３０と空気通路４０との間での空気の循環を停止させ、これにより、商品陳列棚３１に対して商品を補充するために前面開口１０ａが比較的長時間開放された場合には、吸込口３５を通じて外気を多量に吸い込んでしまうことを抑制する。そのため、商品の冷却効率の低下、商品への着霜、結露、商品温度上昇等の不具合の発生を防止できる。
【００５７】
上記ショーケースによれば、制御部５０が、前面開口１０ａの開放が判定されてから設定時間が経過するまで循環ファン４４の回転数を低減させるので、収納室３０と空気通路４０との間で循環する空気の風量が低下し、これにより、設定時間が経過するまでの間においても吸込口３５を通じて吸い込んでしまう外気の量を低減し、上記不具合の発生を効果的に防止することができる。
【００５８】
上記ショーケースによれば、温度センサＳ及び制御部５０の判定処理部５２が、吸込口３５より空気通路４０を通過する空気の温度を検知することにより前面開口１０ａの開放を検出するので、前面開口１０ａが開放されたことを検出する機器を例えば前面開口１０ａの開口縁部等の利用者に視認可能な部分に設置する必要がなく、見栄えの向上を図ることができる。
【００５９】
＜実施の形態２＞
図５は、本発明の実施の形態２であるショーケースを模式的に示す断面側面図である。尚、上述した実施の形態１であるショーケースと同一の構成要素については同一の符号を付してその説明を適宜割愛する。
【００６０】
本実施の形態２であるショーケースは、ケース本体１１を備えている。ケース本体１１は、前面に開口（以下、前面開口ともいう）１１ａが形成された略直方状の断熱筐体である。このケース本体１１には、前面扉（扉体）２０、収納室３０及び空気通路４０が設けられている。
【００６１】
前面扉２０は、ケース本体１１の前面開口１１ａを覆うのに十分な大きさを有した断熱扉であり、ケース本体１１の前方側の一側縁部に、前後方向に揺動可能に設けられている。この前面扉２０は、揺動することにより前面開口１１ａを開閉するものであり、より詳細に説明すると、前方に向けて揺動することにより前面開口１１ａを開放する一方、後方に向けて揺動することにより前面開口１１ａを閉塞するものである。
【００６２】
収納室３０は、上記前面開口１１ａを臨む態様で形成された室である。この収納室３０には、複数（図示の例では４つ）の商品陳列棚３１が上下方向に沿って複数段設けられている。この収納室３０の左右の側面を構成する側面パネル３７には、それぞれガイド溝部３７ａが設けられている。
【００６３】
ガイド溝部３７ａは、図６にも示すように、上下方向に沿って延在する態様で設けられている。このガイド溝部３７ａは、吹出口３６より吹き出された空気の一部を下方に向けて案内するものである。
【００６４】
上記収納室３０の背面を構成する背面パネル３８には、案内口３８ａが設けられている。案内口３８ａは、背面パネル３８の下部、すなわち最下位の商品陳列棚３１よりも下方となる部分に形成された開口であり、左右方向が長手方向となる長尺状のものである。この案内口３８ａは、循環ファン４４が駆動する場合に、収納室３０の内部の空気を背面ダクト４２に案内するものである。
【００６５】
以上のような構成を有する本発明の実施の形態２のショーケースにおいては、圧縮機が駆動するとともに循環ファン４４が駆動することにより、収納室３０の内部の空気が次のように循環する。
【００６６】
吸込口３５を通じて空気通路４０の下部ダクト４１に吸い込まれた収納室３０の内部の空気は、該下部ダクト４１を通過した後に背面ダクト４２を通過する。この背面ダクト４２を通過した空気は、蒸発器４５で冷却される。蒸発器４５で冷却された空気は、上部ダクト４３を通過し、吹出口３６を通じて収納室３０に吹き出される。この吹出口３６より吹き出された空気は、各商品陳列棚３１の前方域を下方に向けて通過し、吸込口３５より空気通路４０に吸い込まれることにより、収納室３０と空気通路４０とを循環する。
【００６７】
これにより、収納室３０の前面開口１１ａ近傍には蒸発器４５で冷却された空気によるエアカーテンが形成される。このようにして形成されたエアカーテンと、前面開口１１ａを閉塞する前面扉２０により、前面開口１１ａを通じての外気の侵入を抑制し、各商品陳列棚３１に陳列された商品が所望の温度に冷却される。
【００６８】
ところで、圧縮機及び循環ファン４４が駆動した状態で、図７に示すように前面扉２０が開く方向に揺動することで前面開口１１ａが開放されるとともに、例えば上から２段目の商品陳列棚３１の棚板３２が収納位置から引出位置までスライドした場合には、吹出口３６から吹き出された空気の一部は、ガイド溝部３７ａに進入し、該ガイド溝部３７ａにより下方に案内される。このようにガイド溝部３７ａにより下方に案内された空気は、吸込口３５若しくは案内口３８ａより空気通路４０に進入し、該空気通路４０を通過中に蒸発器４５に冷却されて吹出口３６より吹き出されることになる。
【００６９】
このように本発明の実施の形態２であるショーケースによれば、側面パネル３７に形成されたガイド溝部３７ａが、吹出口３６より吹き出された空気の一部を下方に案内するので、前面開口１１ａが比較的長時間開放された場合でも、収納室３０と空気通路４０との間で空気を循環させつつ蒸発器４５で冷却させることができ、これにより、商品の冷却効率の低下、商品への着霜、結露、商品温度上昇等の不具合の発生を防止できる。
【００７０】
上記ショーケースによれば、背面パネル３８に設けられた案内口３８ａが、収納室３０の空気を空気通路４０に案内するので、ガイド溝部３７ａにより案内される空気を空気通路４０に効果的に進入させることができ、収納室３０と空気通路４０との間での空気の循環量を確保することができる。
【００７１】
＜実施の形態３＞
図８は、本発明の実施の形態３であるショーケースを模式的に示す断面側面図である。尚、上述した実施の形態１であるショーケースと同一の構成要素については同一の符号を付してその説明を適宜割愛する。
【００７２】
本実施の形態３であるショーケースは、ケース本体１２を備えている。ケース本体１２は、前面に開口（以下、前面開口ともいう）１２ａが形成された略直方状の断熱筐体である。このケース本体１２には、前面扉（扉体）２０、収納室３０及び空気通路４０が設けられている。
【００７３】
前面扉２０は、ケース本体１２の前面開口１２ａを覆うのに十分な大きさを有した断熱扉であり、ケース本体１２の前方側の一側縁部に、前後方向に揺動可能に設けられている。この前面扉２０は、揺動することにより前面開口１２ａを開閉するものであり、より詳細に説明すると、前方に向けて揺動することにより前面開口１２ａを開放する一方、後方に向けて揺動することにより前面開口１２ａを閉塞するものである。
【００７４】
収納室３０は、上記前面開口１２ａを臨む態様で形成された室である。この収納室３０には、複数（図示の例では４つ）の商品陳列棚３１が上下方向に沿って複数段設けられている。この収納室３０の背面を構成する背面パネル３８には、導入口３８ｂが設けられている。導入口３８ｂは、各商品陳列棚３１に対応してそれぞれの商品陳列棚３１の高さレベルに設けられた開口である。この導入口３８ｂは、図８に示したように、対応する商品載置棚の棚板３２が収納位置に配置される場合には該棚板３２により閉成されるものである。その一方、図９に示すように、対応する商品載置棚の棚板３２が引出位置に配置される場合には開成されるものである。
【００７５】
以上のような構成を有する本発明の実施の形態３のショーケースにおいては、圧縮機が駆動するとともに循環ファン４４が駆動することにより、収納室３０の内部の空気が次のように循環する。
【００７６】
吸込口３５を通じて空気通路４０の下部ダクト４１に吸い込まれた収納室３０の内部の空気は、該下部ダクト４１を通過した後に背面ダクト４２を通過する。この背面ダクト４２を通過した空気は、蒸発器４５で冷却される。蒸発器４５で冷却された空気は、上部ダクト４３を通過し、吹出口３６を通じて収納室３０に吹き出される。この吹出口３６より吹き出された空気は、各商品陳列棚３１の前方域を下方に向けて通過し、吸込口３５より空気通路４０に吸い込まれることにより、収納室３０と空気通路４０とを循環する。
【００７７】
これにより、収納室３０の前面開口１２ａ近傍には蒸発器４５で冷却された空気によるエアカーテンが形成される。このようにして形成されたエアカーテンと、前面開口１２ａを閉塞する前面扉２０により、前面開口１２ａを通じての外気の侵入を抑制し、各商品陳列棚３１に陳列された商品が所望の温度に冷却される。
【００７８】
ところで、圧縮機及び循環ファン４４が駆動した状態で、図９に示すように前面扉２０が開く方向に揺動することで前面開口１２ａが開放されるとともに、例えば上から２段目の商品陳列棚３１の棚板３２が収納位置から引出位置までスライドした場合には、吹出口３６から吹き出された空気の一部、すなわち収納室３０の空気は、導入口３８ｂより空気通路４０における循環ファン４４及び蒸発器４５の上流側に導入され、該空気通路４０を通過中に蒸発器４５に冷却されて吹出口３６より吹き出されることになる。
【００７９】
このように本発明の実施の形態３であるショーケースによれば、引出位置にスライドした棚板３２により開成された導入口３８ｂが、収納室３０の空気を空気通路４０における循環ファン４４及び蒸発器４５の上流側に導入するので、前面開口１２ａが比較的長時間開放された場合でも、収納室３０の一部と空気通路４０との間で空気を循環させつつ蒸発器４５で冷却させることができ、これにより、棚板３２が引出位置に配置される商品陳列棚３１よりも上方側の商品の冷却効率の低下、該商品への着霜、結露、該商品温度上昇等の不具合の発生を防止できる。
【００８０】
以上、本発明の実施の形態１〜３について説明したが、本発明はこれらに限定されるものではなく、種々の変更を行うことができる。
【００８１】
上述した実施の形態１では、前面開口１０ａの開放が判定されてから設定時間が経過するまで循環ファン４４の回転数を低減させていたが、本発明においては、前面開口が開放が検出されてから設定時間が経過するまでは循環ファンの回転数を維持してもよい。
【００８２】
上述した実施の形態１では、温度センサＳと制御部５０の判定処理部５２とで扉体検出手段を構成していたが、本発明においては、ケース本体の前面開口の開口縁部に機械スイッチや磁気スイッチを配設してこれらのスイッチが前面開口の開放を検出するようにしてもよい。
【００８３】
上述した実施の形態１及び３では、収納室３０の背面を構成する背面パネルや側面を構成する側面パネルにガイド溝部が設けられていないが、本発明においては、背面パネルや側面パネルにガイド溝部が設けられていてもよい。
【００８４】
上述した実施の形態２では、収納室３０の側面パネル３７にガイド溝部３７ａが設けられていたが、本発明においては、側面パネルだけに限られず、収納室の背面を構成する背面パネルにガイド溝部が設けられていてもよい。
【符号の説明】
【００８５】
１０  ケース本体
１０ａ  前面開口
２０  前面扉（扉体）
３０  収納室
３１  商品陳列棚
３２  棚板
３５  吸込口
３６  吹出口
４０  空気通路
４４  循環ファン
４５  蒸発器
５０  制御部
５１  入力処理部
５２  判定処理部
５３  時間計測部
５４  ファン駆動処理部
５５  メモリ
【図１】
2018079068.tif 000003
【図２】
2018079068.tif 000004
【図３】
2018079068.tif 000005
【図４】
2018079068.tif 000006
【図５】
2018079068.tif 000007
【図６】
2018079068.tif 000008
【図７】
2018079068.tif 000009
【図８】
2018079068.tif 000010
【図９】
2018079068.tif 000011